(57)【特許請求の範囲】
【請求項１】
ＥＰＧを利用してテレビ放送番組を録画予約できるディスク装置であって、
光ディスクに対し、映像音声信号を記録し、且つ記録されている映像音声信号を読み出す記録再生部と、
前記記録再生部に供給すべき映像音声信号を信号処理するとともに、該記録再生部から入力する映像音声信号またはチューナから入力するテレビ放送信号を信号処理して装置の外部に設けられたモニタ装置に画面表示する信号処理部と、
ユーザの手動操作による各種指令を入力する入力部と、
前記入力部からの指令に基づきシステム全体を制御する制御部と、
前記制御部の制御を受けて、装置内部に設けた表示部に文字情報を表示する表示制御部と、
を備え、
前記制御部は、
前記入力部からＥＰＧの番組表の番組の表示指令が入力したときに、前記表示制御部に制御信号を出力して、前記チューナにより受信したＥＰＧの番組表のうちの単一の番組の日付、放送開始時刻、放送終了時刻およびチャンネルを少なくとも含む番組情報をジャンル別に予め設定されたバックライト色で前記表示部に表示させ、一方、録画予約した番組の録画を前記記録再生部に開始させたときに、その録画中の番組情報をジャンル別に予め設定されたバックライト色で前記表示部に表示させる表示手段と、
前記表示手段により前記表示部に番組情報が表示されたのちに前記入力部から番組の表示の切り替えの指令が入力したときに、その指令に応じて表示中の番組に対し番組表の次または前の番組或いは次チャンネルまたは前チャンネルの番組に順次切り替えて単一の番組情報を表示させるように前記表示制御部を制御する表示切替手段と、
前記入力部から番組の録画予約の指令が入力したときに、その時点で前記表示部に表示中の番組の録画予約を受け付ける録画予約受付手段と、
前記録画予約受付手段が録画予約を受け付けた番組の録画時間が予約済みである既存の録画予約番組の録画時間と重複しているか否かを判別する判別手段と、
前記判別手段が重複していると判別したとき、前記表示制御部を介し重複している２つの番組の番組情報を前記表示部に表示させて録画時間の重複を報知する報知手段と、
前記報知手段により報知中の２つの録画予約番組のうちの一方を選択する指令が前記入力部から入力したときに、その選択された録画予約番組の録画時間を優先して、選択されなかった録画予約番組の録画時間の録画開始時刻又は録画終了時刻を選択された録画予約番組の録画終了時刻又は録画開始時刻に変更して録画予約し、一方、前記判別手段が重複していないと判別したときに、前記録画予約受付手段が受け付けた番組を録画予約する録画予約手段と、
を備えたことを特徴とするディスク装置。
【請求項２】
前記表示部はＬＣＤからなり、
前記報知手段は、重複している２つの番組情報を前記表示部に表示させた状態で赤色のバックライトを点滅して録画時間の重複を報知することを特徴とする請求項１記載のディスク装置。
【請求項３】
前記表示切替手段は、前記入力部の下カーソルキーまたは上カーソルが操作されたときに表示中の番組に対し番組表の次または前の番組に切り替えて表示し、且つ前記入力部の右カーソルキーまたは左カーソルキーが操作されたときに表示中の番組に対し番組表の次チャンネルまたは前チャンネルの番組にに切り替えて表示することを特徴とする請求項１又は２記載のディスク装置。
【請求項４】
前記録画予約手段は、前記判別手段が重複していないと判別したとき、前記録画予約受付手段が受け付けた番組を録画予約し、且つその録画予約した番組を前記表示部に表示させた状態で該表示部のバックライトを青色点灯させて録画予約したことを報知する請求項１から３の何れかに記載のディスク装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）等の光ディスクに映像音声信号を記録再生するディスク装置に係り、特にＥＰＧ（Ｅｌｅｃｔｒｏｎｉｃ  Ｐｒｏｇｒａｍ  Ｇｕｉｄｅ）を利用してテレビ放送番組を録画予約することができるディスク装置に関する。
【背景技術】
【０００２】
近年、テレビ放送番組を録画予約することができるディスク装置は、テレビ放送電波の映像音声信号とともに送信されてくる文字放送に含まれるＥＰＧを利用してテレビ放送番組を録画予約することができるようになっている。しかし、ＥＰＧを利用してテレビ放送番組を録画予約する場合、モニタ装置の電源をＯＮにしてモニタ装置の画面に表示されたＥＰＧの番組表の番組を見ながらテレビ放送番組を録画予約しなければならなかった。そのため、ＥＰＧを利用してテレビ放送番組を録画予約するとき、ディスク装置とモニタ装置との両方の電源をＯＮにしなければならないという煩わしい問題点があった。また、ＥＰＧを利用してテレビ放送番組を録画予約するときに、テレビ放送番組の録画時間が既存の録画予約番組の録画時間と重複している場合、新たなテレビ放送番組を録画予約することができないため、そのテレビ放送番組を録画予約するためには、録画時間が重複している既存の録画予約番組の録画予約を取り消してから、そのテレビ放送番組の録画予約をしなければならないという問題点があった。
背景技術としては、テレビ放送番組に属性を指定して、指定された属性を利用してメモリに記憶されているテレビ放送番組情報を色、アイコンを変えて表示装置の画面に表示するようにしたものがあった（例えば、特許文献１参照）。
また、テレビ放送番組の番組案内情報に対応付けて、メモリに記憶されているテレビ放送番組の予約状態を示す情報を予約状態毎に異なる属性で表示装置の画面に表示するようにしたものがあった（例えば、特許文献２参照）。
また、放送に関する情報と放送番組に関する情報とを表示部に表示し、放送番組に関する情報が変化したとき、放送番組に関する情報を表示部に所定時間表示するようにしたものがあった（例えば、特許文献３参照）。
【特許文献１】特開２００１−５４０７６号公報
【特許文献２】特開２０００−６９３８０号公報
【特許文献３】特開平６−１３３２４２号公報
【発明の開示】
【発明が解決しようとする課題】
【０００３】
しかしながら、背景技術で述べたもののうち最初のものにおいては、テレビ放送番組に属性を指定して、指定された属性を利用してメモリに記憶されているテレビ放送番組情報を色、アイコンを変えて表示装置の画面に表示することができたが、メモリに記憶されている複数の番組情報を指定された属性を利用して表示装置の画面に表示するようにしたものであって、上記問題点を解決するようにしたものではなかった。
また、次のものにおいては、テレビ放送番組の番組案内情報に対応付けて、メモリに記憶されているテレビ放送番組の予約状態を示す情報を予約状態毎に異なる属性で表示装置の画面に表示することができたが、メモリに記憶されている複数の番組の予約状態を予約状態毎に異なる属性で表示装置の画面に表示するようにしたものであって、上記問題点を解決するようにしたものではなかった。
また、更にその次のものにおいては、放送に関する情報と放送番組に関する情報とを表示部に表示し、放送番組に関する情報が変化したとき、放送番組に関する情報を表示部に所定時間表示することができたが、現在の受信チャンネルのチャンネル番号、放送局名、番組のジャンル、受信レベル、受信状態、受信モード等を表示部に表示するようにしたものであって、上記問題点を解決するようにしたものではなかった。
本発明は、背景技術の有するこのような問題点に鑑みてなされたものであり、その目的とするところは、ＥＰＧを利用してテレビ放送番組を録画予約する場合に、モニタ装置の電源をＯＮにしなくても、表示部に表示されたＥＰＧの番組表の番組を選択してテレビ放送番組を録画予約することができるディスク装置を提供しようとするものである。
【課題を解決するための手段】
【０００４】
上記目的を達成するため本発明においては、ＥＰＧを利用してテレビ放送番組を録画予約できるディスク装置であって、光ディスクに対し、映像音声信号を記録し、且つ記録されている映像音声信号を読み出す記録再生部と、前記記録再生部に供給すべき映像音声信号を信号処理するとともに、該記録再生部から入力する映像音声信号またはチューナから入力するテレビ放送信号を信号処理して装置の外部に設けられたモニタ装置に画面表示する信号処理部と、ユーザの手動操作による各種指令を入力する入力部と、前記入力部からの指令に基づきシステム全体を制御する制御部と、前記制御部の制御を受けて、装置内部に設けた表示部に文字情報を表示する表示制御部と、を備え、前記制御部が、前記入力部からＥＰＧの番組表の番組の表示指令が入力したときに、前記表示制御部に制御信号を出力して、前記チューナにより受信したＥＰＧの番組表のうちの単一の番組の日付、放送開始時刻、放送終了時刻およびチャンネルを少なくとも含む番組情報をジャンル別に予め設定されたバックライト色で前記表示部に表示させ、一方、録画予約した番組の録画を前記記録再生部に開始させたときに、その録画中の番組情報をジャンル別に予め設定されたバックライト色で前記表示部に表示させる表示手段と、前記表示手段により前記表示部に番組情報が表示されたのちに前記入力部から番組の表示の切り替えの指令が入力したときに、その指令に応じて表示中の番組に対し番組表の次または前の番組或いは次チャンネルまたは前チャンネルの番組に順次切り替えて単一の番組情報を表示させるように前記表示制御部を制御する表示切替手段と、前記入力部から番組の録画予約の指令が入力したときに、その時点で前記表示部に表示中の番組の録画予約を受け付ける録画予約受付手段と、前記録画予約受付手段が録画予約を受け付けた番組の録画時間が予約済みである既存の録画予約番組の録画時間と重複しているか否かを判別する判別手段と、前記判別手段が重複していると判別したとき、前記表示制御部を介し重複している２つの番組の番組情報を前記表示部に表示させて録画時間の重複を報知する報知手段と、前記報知手段により報知中の２つの録画予約番組のうちの一方を選択する指令が前記入力部から入力したときに、その選択された録画予約番組の録画時間を優先して、選択されなかった録画予約番組の録画時間の録画開始時刻又は録画終了時刻を選択された録画予約番組の録画終了時刻又は録画開始時刻に変更して録画予約し、一方、前記判別手段が重複していないと判別したときに、前記録画予約受付手段が受け付けた番組を録画予約する録画予約手段と、を備えている。  また、前記表示部はＬＣＤからなり、前記報知手段は、重複している２つの番組情報を前記表示部に表示させた状態で赤色のバックライトを点滅して録画時間の重複を報知することが好ましい。
また、前記表示切替手段は、前記入力部の下カーソルキーまたは上カーソルが操作されたときに表示中の番組に対し番組表の次または前の番組に切り替えて表示し、且つ前記入力部の右カーソルキーまたは左カーソルキーが操作されたときに表示中の番組に対し番組表の次チャンネルまたは前チャンネルの番組にに切り替えて表示することが好ましい。
さらに、前記録画予約手段は、前記判別手段が重複していないと判別したとき、前記録画予約受付手段が受け付けた番組を録画予約し、且つその録画予約した番組を前記表示部に表示させた状態で該表示部のバックライトを青色点灯させて録画予約したことを報知することが好ましい。
【発明の効果】
【０００５】
請求項１記載の発明に係るディスク装置によれば、制御部により制御される表示制御部により文字情報が表示される表示部を内部に備えているので、ＥＰＧを利用してテレビ放送番組を録画予約する場合に、装置の外部に設けられたモニタ装置の電源をＯＮにしなくても、表示部に表示されたＥＰＧの番組表の番組を選択して所望のテレビ放送番組を録画予約することができる。また、番組内容がジャンル別に予め設定されたバックライト色で表示されるので、表示中の番組のジャンが容易にわかる。さらに、録画予約が指令された番組の録画時間が予約済みの既存の録画予約番組と重複する場合、重複している２つの番組情報を表示部に表示させて報知するので、録画時間が重複していることを容易に視認でき、重複している２つの録画予約番組の何れか一方を優先する操作を即座に行える。この場合、選択された録画予約番組の録画時間を優先して、選択されなかった録画予約番組の録画時間の録画開始時刻または録画終了時刻が、優先された録画予約番組の録画時間を減少させない範囲内で変更されるので、選択されなかった録画予約番組においても可及的に長い録画時間で録画予約できる。また、表示部には単一の番組情報または重複する２つの番組情報を文字表示するだけであるから、小型のものでよい。
請求項２記載の発明に係るディスク装置によれば、録画予約しようとした番組の録画時間が既存の録画予約番組の録画時間と重複していることを一層確実に知られることができる。
請求項３記載の発明に係るディスク装置によれば、入力部に設けられている既存の四つのカーソルキーを利用して、番組情報を判り易い操作で一つずつ切り替えて表示部に表示させることができる。
請求項４記載の発明に係るディスク装置によれば、録画予約しようとした番組の録画時間が既存の録画予約番組の録画時間と重複しないことから、録画予約されたことを容易、且つ確実に知られることができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置のリモコン装置を示す説明図であり、図３は本発明の一実施例のディスク装置の表示部の表示例を示す説明図であり、図４は本発明の一実施例のディスク装置の動作を示す説明図であり、図５は本発明の一実施例のディスク装置の動作を示すフローチャートである。
まず、図１の本発明の一実施例のディスク装置の構成を示すブロック図を基に説明する。
ディスク装置１は、映像音声信号が記録された光ディスク２にレーザ光を照射し、その反射光を検出して光ディスク２に記録された映像音声信号を読み出すとともに、光ディスク２にレーザ光を照射して、映像音声信号を光ディスクに記録する光ピックアップ３と、光ピックアップ３を光ディスク２の半径方向にスレッド移動させるスレッドモータ４と、光ディスク２を回転させるスピンドルモータ５と、スレッドモータ４の回転方向と回転速度とをサーボ制御し、スピンドルモータ５の回転速度をサーボ制御し、光ピックアップ３により検出されたトラッキング誤差信号に基づいて光ピックアップ３のトラッキングをサーボ制御し、光ピックアップ３により検出されたフォーカス誤差信号に基づいて光ピックアップ３のフォーカスをサーボ制御するサーボ回路６と、光ピックアップ３により読み出された映像音声信号のＲＦ（Ｒａｄｉｏ  Ｆｒｅｑｕｅｎｃｙ）信号を増幅するとともに、光ディスク２に記録する映像音声信号のＲＦ信号を増幅するＲＦ増幅回路７と、アンテナ１５により受信されたテレビ放送電波から選択されたチャンネルのテレビ放送を受信するチューナ８と、光ピックアップ３により読み出された映像音声信号を基準クロックに基づいて同期検出して復調し、復調された映像音声信号の誤りを訂正して、所定の圧縮方式に基づいて圧縮された映像音声信号を伸張し、伸張された映像音声信号を復号して映像音声信号を再生するとともに、チューナ８により受信されたテレビ放送の映像音声信号を符号化し、符号化された映像音声信号を所定の圧縮方式に基づいて圧縮する信号処理回路９と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路１０と、ディスク装置１のシステム全体を制御するマイコン１１と、ＬＣＤ（Ｌｉｑｕｉｄ  Ｃｒｙｓｔａｌ  Ｄｉｓｐｌａｙ）の表示部１３の表示を制御する表示制御回路１２と、リモコン装置２０から送信された赤外線信号のリモコン信号を受信して所定の電気信号のリモコン信号に変換するリモコン受信部１４とで構成されている。
また、図２の本発明の一実施例のディスク装置のリモコン装置を示す説明図を基に説明する。
リモコン装置２０は、ディスク装置１の各種設定を行うセットアップメニュ画面の表示を指令するメニュキー２０ａ、ＥＰＧの番組表の番組の表示／非表示を指令する番組表キー２０ｂ、セットアップメニュ画面に表示された選択項目を選択するカーソルキー２０ｃ、カーソルキー２０ｃにより選択された選択項目の選択を決定する決定キー２０ｄ、テレビ放送番組の録画予約を指令する録画予約キー２０ｅ等の複数の操作キーが設けられていて、それらの操作キーを操作することによりディスク装置１を所望動作させることができるようになっている。なお、カーソルキー２０ｃは、上カーソルキー、下カーソルキー、左カーソルキー、右カーソルキーの４つの操作キーで構成されている。
以上のように構成されたディスク装置について、以下その動作について説明する。
リモコン装置２０の番組表キー２０ｂが操作されると、マイコン１１は、表示制御回路１２に制御信号を送出して、チューナ８により受信されたＥＰＧの番組表の番組をジャンル別に予め設定されたバックライト色で表示部１３のＬＣＤに表示する（図３（ａ）参照）。ジャンル別のバックライト色は、ユーザがセットアップメニュ画面（図示せず）のジャンル別のバックライト色の設定画面（図示せず）で設定できるようになっていて、例えば、スポーツは緑色のバックライト色、シネマは黄緑色のバックライト色、アニメは黄色のバックライト色、ドラマは黄橙色のバックライト色、ミュージックは橙色のバックライト色等、ユーザの好みでジャンル別のバックライト色を設定することができるようになっている。
そして、リモコン装置２０のカーソルキー２０ｃの下カーソルキーが操作されると、マイコン１１は、表示制御回路１２に制御信号を送出して、チューナ８により受信されたＥＰＧの番組表の次の番組の表示に切り替え、次の番組をジャンル別に予め設定されたバックライト色で表示部１３のＬＣＤに表示する（図３（ｂ）参照）。
また、リモコン装置２０のカーソルキー２０ｃの上カーソルキーが操作されると、マイコン１１は、表示制御回路１２に制御信号を送出して、チューナ８により受信されたＥＰＧの番組表の前の番組の表示に切り替え、前の番組をジャンル別に予め設定されたバックライト色で表示部１３のＬＣＤに表示する（図３（ａ）参照）。
また、リモコン装置２０のカーソルキー２０ｃの右カーソルキーが操作されると、マイコン１１は、表示制御回路１２に制御信号を送出して、チューナ８により受信されたＥＰＧの番組表の次チャンネルの番組の表示に切り替え、次チャンネルの番組をジャンル別に予め設定されたバックライト色で表示部１３のＬＣＤに表示する（図３（ｃ）参照）。
また、リモコン装置２０のカーソルキー２０ｃの左カーソルキーが操作されると、マイコン１１は、表示制御回路１２に制御信号を送出して、チューナ８により受信されたＥＰＧの番組表の前チャンネルの番組の表示に切り替え、前チャンネルの番組をジャンル別に予め設定されたバックライト色で表示部１３のＬＣＤに表示する（図３（ｂ）参照）。
そして、リモコン装置２０の録画予約キー２０ｅの操作により表示部１３に表示されている番組が録画予約が指令されると（図３（ｃ）参照）、マイコン１１は、録画予約が指令されたテレビ放送番組の録画時間が既存の録画予約番組の録画時間と重複するか否かを判別して、録画予約が指令されたテレビ放送番組の録画時間が既存の録画予約番組の録画時間と重複する場合、表示制御回路１２に制御信号を送出して、録画時間が重複している録画予約が指令された番組Ａと既存の録画予約番組Ｂとを表示部１３のＬＣＤに表示し、表示部１３のＬＣＤのバックライトを赤色点滅して番組Ａと番組Ｂとの録画時間と重複していることを報知する（図３（ｄ）参照）。
録画時間が重複している場合、ユーザはリモコン装置２０のカーソルキー２０ｃの上カーソルキー、下カーソルキーを操作して表示部１３に表示されたカーソルＣを移動させ、リモコン装置２０の決定キー２０ｄを操作して録画予約を優先したい番組を選択して録画予約の優先順位を変更する（図３（ｄ）参照）。リモコン装置２０の決定キー２０ｄが操作されると、マイコン１１は、録画予約の優先が選択された番組と録画予約の優先が選択されていない番組の録画時間を調整して録画予約する。例えば、番組Ｂの録画時間が２０時００分から２１時３０分である場合に、録画時間が２１時００分から２３時００分の番組Ａの録画予約の優先が選択された場合、番組Ｂの録画終了時刻が２１時００分に調整され、録画予約の優先が選択された番組Ａが全録画時間録画される（図４（ａ）参照）。また、例えば、録画時間が２１時００分から２３時００分の番組Ａの録画時間がである場合に、録画時間が２０時００分から２１時３０分の番組Ｂの録画予約の優先が選択された場合、番組Ａの録画開始時刻が２１時３０分に調整され、録画予約の優先が選択された番組Ｂが全録画時間録画される（図４（ｂ）参照）。録画予約された番組の録画が開始されると、その録画中の番組がジャンル別に予め設定されたバックライト色で表示部１３のＬＣＤに表示される。
また、録画予約されたテレビ放送番組の録画時間が既存の録画予約番組の録画時間と重複しない場合、リモコン装置２０の録画予約キー２０ｅの操作により表示部１３に表示されている番組の録画予約が指令されると、マイコン１１は、表示制御回路１２に制御信号を送出して、表示部１３のＬＣＤのバックライトを青色点灯して表示部１３に表示されている番組を録画予約する。なお、テレビ放送番組の録画予約を終了する場合は、リモコン装置２０の番組表キー２０ｂを操作する。
また、図５の本発明の一実施例のディスク装置の動作を示すフローチャートを基に説明する。
リモコン装置の番組表キーが操作されると、ステップＳ１からステップＳ２に進み、ステップＳ２で、チューナにより受信されたＥＰＧの番組表の番組がジャンル別に予め設定されたバックライト色で表示部に表示され、ステップＳ３に進む。
ステップＳ３で、リモコン装置のカーソルキーの下カーソルキーが操作されたか否かが判断され、リモコン装置のカーソルキーの下カーソルキーが操作された場合、ステップＳ４に進み、リモコン装置のカーソルキーの下カーソルキーが操作されていない場合、ステップＳ５に進む。
ステップＳ４で、チューナにより受信されたＥＰＧの番組表の次の番組がジャンル別に予め設定されたバックライト色で表示部に表示され、ステップＳ５に進む。
ステップＳ５で、リモコン装置のカーソルキーの上カーソルキーが操作されたか否かが判断され、リモコン装置のカーソルキーの上カーソルキーが操作された場合、ステップＳ６に進み、リモコン装置のカーソルキーの上カーソルキーが操作されていない場合、ステップＳ７に進む。
ステップＳ６で、チューナにより受信されたＥＰＧの番組表の前の番組がジャンル別に予め設定されたバックライト色で表示部に表示され、ステップＳ７に進む。
ステップＳ７で、リモコン装置のカーソルキーの右カーソルキーが操作されたか否かが判断され、リモコン装置のカーソルキーの右カーソルキーが操作された場合、ステップＳ８に進み、リモコン装置のカーソルキーの右カーソルキーが操作されていない場合、ステップＳ９に進む。
ステップＳ８で、チューナにより受信されたＥＰＧの番組表の次チャンネルの番組がジャンル別に予め設定されたバックライト色で表示部に表示され、ステップＳ９に進む。
ステップＳ９で、リモコン装置のカーソルキーの左カーソルキーが操作されたか否かが判断され、リモコン装置のカーソルキーの左カーソルキーが操作された場合、ステップＳ１０に進み、リモコン装置のカーソルキーの左カーソルキーが操作されていない場合、ステップＳ１１に進む。
ステップＳ１０で、チューナにより受信されたＥＰＧの番組表の前チャンネルの番組がジャンル別に予め設定されたバックライト色で表示部に表示され、ステップＳ１１に進む。
ステップＳ１１で、リモコン装置の録画予約キーが操作されたか否かが判断され、リモコン装置の録画予約キーが操作された場合、ステップＳ１２に進み、リモコン装置の録画予約キーが操作されていない場合、ステップＳ３に戻って、ステップＳ３からのステップを繰り返す。
ステップＳ１２で、録画予約されたテレビ放送番組の録画時間が既存の録画予約番組の録画時間と重複するか否かが判断され、録画予約が指令されたテレビ放送番組の録画時間が既存の録画予約番組の録画時間と重複する場合、ステップＳ１３に進み、録画予約が指令されたテレビ放送番組の録画時間が既存の録画予約番組の録画時間と重複しない場合、ステップＳ１８に進む。
ステップＳ１３で、録画時間が重複している番組が表示部に表示され、表示部のバックライトが赤色点滅されて録画予約が指令された番組の録画時間が既存の録画予約番組の録画時間と重複していることが報知され、ステップＳ１４に進む。
ステップＳ１４で、リモコン装置のカーソルキーの操作により録画予約の優先順位が変更されたか否かが判断され、リモコン装置のカーソルキーの操作により録画予約の優先順位が変更された場合、ステップＳ１５に進み、リモコン装置のカーソルキーの操作により録画予約の優先順位が変更されていない場合、ステップＳ１６に進む。
ステップＳ１５で、録画予約の優先順位が変更されて、ステップＳ１６に進む。
ステップＳ１６で、リモコン装置の決定キーが操作されたか否かが判断され、リモコン装置の決定キーが操作された場合、ステップＳ１７に進み、リモコン装置の決定キーが操作されていない場合、ステップＳ１４に戻って、ステップＳ１４からのステップを繰り返す。
ステップＳ１７で、録画予約の優先が選択された番組の録画時間が優先されて録画予約され、ステップＳ１９に進む。
ステップＳ１８で、表示部のバックライトが青色点灯されて表示部に表示されている番組が録画予約され、ステップＳ１９に進む。
ステップＳ１９で、リモコン装置の番組表キーが操作されたか否かが判断され、リモコン装置の番組表キーが操作された場合、ステップＳ２０に進んで処理を終了し、リモコン装置の番組表キーが操作されていない場合、ステップＳ３に戻って、ステップＳ３からのステップを繰り返す。
以上、本発明を実施するための最良の形態について詳述したが、本発明はこれに限定されるものではなく、当業者の通常の知識の範囲内でその変形や改良が可能である。例えば、ＥＰＧの番組表の番組をディスク装置の表示部に予め設定されたジャンル別のバックライト色で表示することを説明したが、ＥＰＧを利用して録画予約を行うことができるＶＣＲ（Ｖｉｄｅｏ  Ｃａｓｓｅｔｔｅ  Ｒｅｃｏｒｄｅｒ）装置等の記録再生装置にも適用することができることはいうまでもない。
【図面の簡単な説明】
【０００７】
【図１】本発明の一実施例のディスク装置の構成を示すブロック図である。
【図２】本発明の一実施例のディスク装置のリモコン装置を示す説明図である。
【図３】本発明の一実施例のディスク装置の表示部の表示例を示す説明図である。
【図４】本発明の一実施例のディスク装置の動作を示す説明図である。
【図５】本発明の一実施例のディスク装置の動作を示すフローチャートである。
【符号の説明】
【０００８】
１  ディスク装置
２  光ディスク
３  光ピックアップ
４  スレッドモータ
５  スピンドルモータ
６  サーボ回路
７  ＲＦ増幅回路
８  チューナ
９  信号処理回路
１０  ＯＳＤ回路
１１  マイコン
１２  表示制御回路
１３  表示部
１４  リモコン受信部
２０  リモコン装置
２０ａ  メニュキー
２０ｂ  番組表キー
２０ｃ  カーソルキー
２０ｄ  決定キー
２０ｅ  録画予約キー
３０  モニタ装置
【図１】
0004035782.tif 000002
【図２】
0004035782.tif 000003
【図３】
0004035782.tif 000004
【図４】
0004035782.tif 000005
【図５】
0004035782.tif 000006